(57)【要約】【課題】表面シートにおける体液の拡散を抑制することによって、体液の面方向での拡散をより狭い範囲に留めて、体液が肌に接触することによる不快感等を低減できる吸収性物品を提供する。【解決手段】透液性の表面シートと、不透液性の裏面シートと、両シートの間に設けられた吸収体とを有する本体を備えた吸収性物品であって、本体は、装着時に装着者の体液排出口に対応する領域の中心を含む第１領域と、第１領域の周囲に延在し、第１領域の面積より大きい面積を有する第２領域とを有し、表面シートの表面に疎水性粒子が塗布されており、第１領域に塗布された単位面積当たりの疎水性粒子の量は、第２領域に塗布された単位面積当たりの疎水性粒子の量よりも少ない。【選択図】図１
2019034079.tif 000002
【特許請求の範囲】
【請求項１】
透液性の表面シートと、不透液性の裏面シートと、前記表面シートと前記裏面シートとの間に設けられた吸収体とを有する本体を備えた吸収性物品であって、
前記本体は、装着時に装着者の体液排出口に対応する領域の中心を含む第１領域と、前記第１領域の周囲に延在し、当該第１領域の面積より大きい面積を有する第２領域とを有し、
少なくとも前記第１領域及び前記第２領域の表面に疎水性粒子が塗布されており、
前記第１領域に塗布された単位面積当たりの前記疎水性粒子の量は、前記第２領域に塗布された単位面積当たりの前記疎水性粒子の量よりも少ない、吸収性物品。
【請求項２】
前記第２領域に塗布された前記疎水性粒子の量は２０〜１００ｇ／ｍ２であり、
前記第１領域に塗布された前記疎水性粒子の量は１０ｇ／ｍ２以下である、請求項１に記載の吸収性物品。
【請求項３】
前記第１領域には疎水性粒子が塗布されていない、請求項２に記載の吸収性物品。
【請求項４】
前記第１領域の面積は７５〜１３００ｍｍ２である、請求項１から３のいずれか一項に記載の吸収性物品。
【請求項５】
前記第１領域の形状の中心と前記体液排出口に対応する領域の中心とは一致している、請求項１から４のいずれか一項に記載の吸収性物品。
【請求項６】
前記第１領域の形状は、前記吸収性物品の前後方向中心線を対称線とした線対称の多角形、円形、又は楕円形である、請求項１から５のいずれか一項に記載の吸収性物品。
【請求項７】
透液性の表面シートと、不透液性の裏面シートと、前記表面シートと前記裏面シートとの間に設けられた吸収体とを有する本体を備え、前記本体が、装着時に装着者の体液排出口に対応する領域の中心を含む第１領域と、第１領域の周囲に延在する第２領域とを有する吸収性物品の製造方法であって、
前記表面シートの表面に疎水性粒子を塗布する工程を含み、
前記第１領域に塗布する単位面積当たりの前記疎水性粒子の量は、前記第２領域に塗布する単位面積当たりの前記疎水性粒子の量よりも少ない、吸収性物品の製造方法。
【発明の詳細な説明】
【技術分野】
【０００１】
本発明は、吸収性物品、及び吸収性物品の製造方法に関する。
【背景技術】
【０００２】
従来、体液を吸収させることを目的とした、生理用ナプキン、パンティライナー、失禁パッド等の吸収性物品が知られている。このような吸収性物品の多くは、透液性の表面シートと、不透液性の裏面シートと、これら両シートの間に設けられた吸収体とを有する本体を備えた基本構造を有している。
【０００３】
吸収性物品の使用時、体液は透液性の表面シート上に排出され、表面シートを通して吸収体へと吸収されていくが、表面シート上に体液が残存している状態では、体液が肌と接触して不快感が生じやすくなる。そのため、表面シートにはできるだけ体液を残さないようにすることが好ましい。よって、表面シートにおける体液の移行をコントロールするべく、表面シートに物質を塗布する等の工夫が知られている。
【０００４】
例えば、特許文献１、２には、トップシート（表面シート）に、血液滑性付与剤を塗布することが開示されている。特許文献１、２の開示によれば、血液滑性付与剤は、トップシートに到達した経血と接触し、経血と共に凹部に滑落するような物質である。
【先行技術文献】
【特許文献】
【０００５】
【特許文献１】特許第５７１７６８５号公報
【特許文献２】特許第５９９８０００号公報
【発明の概要】
【発明が解決しようとする課題】
【０００６】
特許文献１には、血液滑性付与剤の塗布と、排泄口当接域を囲む所定のエンボスの構成とによって、経血が排泄口当接域の外へと拡散することを防止する吸収性物品が記載されている。また、特許文献２には、血液滑性付与剤の塗布と、畝部、溝部、及び貫通孔を有する構成とによって、横方向（面方向）の拡散を抑制する不織布が記載されている。
【０００７】
しかしながら、表面シートにおける体液の面方向の拡散を抑制する機能をさらに向上させ、体液の面方向での拡散をより狭い範囲に留めることができる構成が求められている。
【０００８】
上記の点に鑑みて、本発明の一形態は、表面シートにおける体液の拡散を抑制することによって、体液の面方向での拡散をより狭い範囲に留めて、体液が肌に接触することによる不快感等を低減できる吸収性物品を提供することを課題とする。
【課題を解決するための手段】
【０００９】
本発明の第一の形態は、透液性の表面シートと、不透液性の裏面シートと、前記表面シートと前記裏面シートとの間に設けられた吸収体とを有する本体を備えた吸収性物品であって、前記本体は、装着時に装着者の体液排出口に対応する領域の中心を含む第１領域と、前記第１領域の周囲に延在し、当該第１領域の面積より大きい面積を有する第２領域とを有し、少なくとも前記第１領域及び前記第２領域の表面に疎水性粒子が塗布されており、前記第１領域に塗布された単位面積当たりの前記疎水性粒子の量は、前記第２領域に塗布された単位面積当たりの前記疎水性粒子の量よりも少ない。
【００１０】
上記第一の形態によれば、表面シートの表面に疎水性粒子が塗布されている。疎水性粒子は、体液に対する濡れ性が比較的低いので、体液が表面シート上に排出されて疎水性粒子と接触すると、体液はその位置から移行しにくい。そのため、表面シートでの体液の移動が抑制され得る。これにより、体液が面方向に拡散する範囲を小さくすることができ、体液が肌に接触することによる触覚的な不快感を低減することができる。また、使用中、体液が表面シートにおいて広がっている様子が見えることによる不快感（視覚的な不快感）も低減することができる。
【００１１】
但し、このような疎水性粒子による体液拡散を抑制する作用が大きいと、表面シートから吸収体への吸収速度が小さくなる傾向がある。これに対し、上記形態においては、体液排出口対応領域の中心を含む第１領域に存在する単位面積当たりの疎水性粒子の量を、第１領域の周囲に延在する第２領域に存在する単位面積当たりの疎水性粒子の量よりも少なくしている。これにより、排出された体液の大部分が最初に到達し得る第１領域において、体液を比較的速やかに吸収体へと移行させることができる。そのため、第１領域上に体液が残りにくくなり、体液排出口付近において体液が肌に付着することにより生じる不快感を低減することができる。
【００１２】
本発明の第二の形態では、前記第２領域に塗布された前記疎水性粒子の量は２０〜１００ｇ／ｍ２であり、前記第１領域に塗布された前記疎水性粒子の量は１０ｇ／ｍ２以下である。
【００１３】
上記第二の形態によれば、第２領域における単位面積当たりの疎水性粒子の量の範囲が規定されているため、第２領域における体液の面方向の拡散を良好に抑制することができる効果を維持しつつ、疎水性粒子の量が過度に多くなって表面シートの多孔が閉塞される等の不都合を回避することができる。また、第１領域における単位面積当たりの疎水性粒子の量を所定値以下としているので、第１領域において体液を表面シートから吸収体へとより速やかに吸収させることができるという上述の効果を向上させることができる。
【００１４】
本発明の第三の形態では、前記第１領域には疎水性粒子が塗布されていない。
【００１５】
上記第三の形態によれば、第１領域に疎水性粒子が塗布されていないことで、体液の大部分が最初に到達する第１領域において、表面シートから吸収体への体液の吸収がさらに速やかとなる。これにより、体液排出口付近で感じられる不快感を低減することができる。第１領域に疎水性粒子が塗布されていない本形態は、特に体液の量が多い場合に好適に使用することができる。
【００１６】
本発明の第四の形態では、前記第１領域の面積は７５〜１３００ｍｍ２である。
【００１７】
上記第四の形態によれば、第１領域の面積が所定の大きさを有しており、表面シートから吸収体への吸収が比較的速やかに進む領域が、適切な面積を有している。これにより、体液が拡散する領域を小さい範囲に留めるという疎水性粒子による効果を維持しつつ、体液排出口から排出される体液を、体液排出口に対応する領域付近で表面シートから吸収体へとより確実に吸収させることが可能となる。
【００１８】
本発明の第五の形態では、前記第１領域の形状の中心と前記体液排出口に対応する領域の中心とは一致している。
【００１９】
上記第五の形態によれば、第１領域の形状の中心と体液排出口に対応する領域の中心とが一致しているので、第１領域を、体液排出口に対応する領域及びその近傍に確実に対応させることができる。これにより、体液排出口から排出される体液を、第１領域において、より確実に表面シートから吸収体へと吸収させることができる。
【００２０】
本発明の第六の形態では、前記第１領域の形状は、前記吸収性物品の前後方向中心線を対称線とした線対称の多角形、円形、又は楕円形である。
【００２１】
上記第六の形態によれば、第１領域が所定の形状であることによって、第１領域を、全方向に所定の拡がりを有する領域とすることができる。これにより、第１領域において、より確実に表面シートから吸収体へと吸収させることができる。
【００２２】
本発明の第七の形態では、透液性の表面シートと、不透液性の裏面シートと、前記表面シートと前記裏面シートとの間に設けられた吸収体とを有する本体を備え、前記本体が、装着時に装着者の体液排出口に対応する領域の中心を含む第１領域と、第１領域の周囲に延在する第２領域とを有する吸収性物品の製造方法であって、前記表面シートの表面に疎水性粒子を塗布する工程を含み、前記第１領域に塗布する単位面積当たりの前記疎水性粒子の量は、前記第２領域に塗布する単位面積当たりの前記疎水性粒子の量よりも少ない。
【００２３】
上記第七の形態によれば、上記第一の形態と同様の効果を奏する吸収性物品の製造方法を提供することができる。
【発明の効果】
【００２４】
本発明の一形態によれば、表面シートにおける体液の拡散を抑制することによって、体液の面方向での拡散をより狭い範囲に留めて、体液が肌に接触することによる不快感等を低減できる吸収性物品を提供することができる。
【図面の簡単な説明】
【００２５】
【図１】本発明の一形態による吸収性物品の基本構造を説明するための一部破断平面図である。
【図２】本発明の一形態による吸収性物品のＩ−Ｉ線断面図である。
【図３】本発明の一形態による吸収性物品の平面図である。
【図４】本発明の一形態による吸収性物品の平面図である。
【図５】実施例で用いた試料を説明するための図である。
【図６】実施例における吸収試験で用いた器具を説明するための図である。
【発明を実施するための形態】
【００２６】
以下、本発明の実施の形態について図面を参照しながら説明する。
【００２７】
図１に、本発明の一形態による吸収性物品の例として生理用ナプキンの一部破断図を示す。また、図２に、図１のＩ−Ｉ線断面を示す。図１、２に示すように、吸収性物品１は、不透液性の裏面シート２と、透液性の表面シート３と、これら両シート２、３間に設けられた吸収体４とを有する本体（吸収性物品本体）８とを備えている。吸収体４の形状保持等のために、吸収体４は、クレープ紙又は不織布等からなる被包シート５によって包まれていてもよい。
【００２８】
本体８は、図１に示すように、全体としては、前後方向に所定の長さを有し、前後方向と直交する方向に所定の幅を有する細長い形状を有している。本体８の幅は、図示の例では略一定となっているが、前後方向にわたって変動していてもよい。吸収性物品（生理用ナプキン）１は、前後方向に延びる中心線（前後方向中心線又は長手方向中心線）ＣＬに対し略線対称の形状を有することができる。
【００２９】
また、吸収性物品本体８は、装着時に装着者の膣口、小陰唇等を含む体液排出口に対応する領域（体液排出口対応領域）５０を有しており、体液排出口対応領域５０は中心５０Ａを有している。中心５０Ａは、前後方向中心線ＣＬ上にあり、体液排出口対応領域５０の前後方向長さの中央に位置している。本体８は、体液排出口対応領域５０を含む中央領域ＲＭと、中央領域ＲＭの前方にある前方領域ＲＦと、中央領域ＲＭの後方にある後方領域ＲＲとを有する。
【００３０】
中央領域ＲＭは、その両側方から延びる、吸収性物品１を装着の際に下着に確実に固定するためのウィングＷ、Ｗを有していてよい。前方領域ＲＦは、ウィングＷ、Ｗの前方の起点となる位置から本体８の前端縁までの領域であり、後方領域ＲＲは、ウィングＷ、Ｗの後方の起点となる位置から本体８の後端縁までの領域とすることができる。ウィングＷ、Ｗが設けられている場合、体液排出口対応領域５０の中心５０Ａは、前後方向で見て、ウィングＷ、Ｗの側方の端縁部の前後方向長さの中点の位置にあるか、又はウィングＷ、Ｗの前端縁と後端縁との中間の位置にあるものとすることができる。
【００３１】
図１、２の例では、吸収性物品１はウィングＷ、Ｗを有しているが、吸収性物品１はウィングＷ、Ｗのない形態とすることができる。その場合、ウィングＷ、Ｗが従来形成される位置にウィングＷ、Ｗを形成した場合に、ウィングＷ、Ｗ前方の起点となる位置から前方の領域を前方領域ＲＦとし、ウィングＷ、Ｗの後方の起点となる位置から後方の領域を後方領域ＲＲとすることができる。中央領域ＲＭの前後方向の長さは、５０〜９０ｍｍとすることができる。
【００３２】
本体８の周縁においては、裏面シート２の外縁と表面シート３の外縁とが、ホットメルト等の接着剤やヒートシール、超音波シール等の接着手段によって接合されていてよい。また、表面シート３側の両側部には、それぞれ前後方向（長手方向）に沿ってサイド不織布７が設けられていてよい。サイド不織布７は、本体８の側方に部分的に突出し、同じく側方に突出する裏面シート２に積層され、ホットメルト等の接着剤やヒートシール、超音波シール等の接着手段によって接合されており、これにより、本体８の両側部に、上述のウィングＷ、Ｗが形成されている。
【００３３】
裏面シート２としては、ポリエチレンやポリプロピレン等のオレフィン系樹脂シート等の少なくとも遮水性を有するシート材を用いることができる。ポリエチレンシート等に不織布を積層したラミネート不織布や、さらには防水フィルムを介在させて実質的に不透液性を確保した不織布の積層シート等を用いることができる。また、ムレ防止の観点から透湿性を有するものが用いられることがさらに望ましい。このような遮水・透湿性シート材としては、ポリエチレンやポリプロピレン等のオレフィン系樹脂中に無機充填剤を溶融混練してシートを成形した後、一軸または二軸方向に延伸することにより得られる微多孔性シートを用いることができる。
【００３４】
表面シート３は、経血、おりもの、尿等の体液を速やかに透過させる透液性のシートである。表面シート３としては、有孔又は無孔の不織布や多孔性プラスチックシート等が好適に用いられる。不織布を構成する素材繊維としては、例えば、ポリエチレン、ポリプロピレン等のオレフィン、ポリエステル、ポリアミド等の合成繊維、レーヨン、キュプラ等の再生繊維、及びこれらの混紡繊維、並びに綿等の天然繊維を単独で又は２種以上組み合わせて用いることができる。また、不織布の加工法としては、スパンレース法、スパンボンド法、サーマルボンド法、メルトブローン法、ニードルパンチ法等が挙げられる。これらの加工法のうち、スパンレース法は柔軟性、スパンボンド法はドレープ性に富む不織布を製造できる点で好ましく、サーマルボンド法は嵩高でソフトな不織布を製造できる点で好ましい。また、融点の高い繊維を芯とし融点の低い繊維を鞘とした芯鞘型繊維、サイドバイサイド型繊維、分割型繊維などの複合繊維を用いることができる。
【００３５】
表面シート３は、上述のように有孔であってよく、例えば、図１に示すような複数の開孔２０を有していてよい。開孔２０は、表面シート３の一方の側から他方の側へと貫通する貫通孔である。開孔２０は、例えば、直径０．５〜２．０ｍｍの円形、又は当該円形と同等の面積を有する楕円形、四角形等の他の形状であってよい。また、開孔２０同士のピッチは、５〜１５ｍｍとすることができる。このような開孔２０が表面シート３に設けられていることで、表面シート３上に粘性の高い体液が排出された場合でも、そのような体液を、より速やかに表面シート３を通して透過させることができる。よって、開孔２０は、表面シート３での体液の面方向の拡散を抑制するという上述の効果に寄与する。
【００３６】
なお、図示の例では、表面シート３の全体にわたって開孔２０が形成されているが、表面シート３の一部分、例えば、体液排出口対応領域５０や中央領域ＲＭに開孔２０が形成され、それ以外の領域には形成されていない形態とすることもできる。また、体液排出口対応領域５０や中央領域ＲＭにおける開孔２０の大きさ及び／又はピッチを、それ以外の領域における開孔２０の大きさ及び／又はピッチと異ならせることができる。
【００３７】
また、図１に示すように、表面シート３には、その全体にわたって、ドット状圧搾部（エンボス）３０が形成されていてよい。ドット状圧搾部３０は、開孔２０の間に形成されていてよく、図示の例のように、開孔２０及びドット状圧搾部３０によって囲まれた領域が正方形等の四角形を有するようになっていてもよい。
【００３８】
裏面シート２と表面シート３との間に介在される吸収体４は、体液を吸収して保持できる材料であれば限定されないが、綿状パルプと吸水性ポリマーとを含むことが好ましい。吸水性ポリマーとしては、高吸水ポリマー粒状粉（ｓｕｐｅｒａｂｓｏｒｂｅｎｔ  ｐｏｌｙｍｅｒ（ＳＡＰ））、高吸水ポリマー繊維（ｓｕｐｅｒａｂｓｏｒｂｅｎｔ  ｆｉｂｅｒ（ＳＡＦ））及びこれらの組合せを用いることができる。パルプとしては、木材から得られる化学パルプ、溶解パルプ等のセルロース繊維、レーヨン、アセテート等の人工セルロース繊維からなるものが挙げられる。化学パルプの原料材としては、広葉樹材、針葉樹材等が用いられるが、繊維長が長いこと等から針葉樹材が好適に使用される。
【００３９】
また、吸収体４には合成繊維を混合してもよい。合成繊維としては、ポリエチレン、ポリプロピレン等のポリオレフィン、ポリエチレンテレフタレート、ポリブチレンテレフタレート等のポリエステル、ナイロン等のポリアミド、及びこれらの共重合体を使用することができ、これらのうちの２種を混合して使用することもできる。また、融点の高い繊維を芯とし融点の低い繊維を鞘とした芯鞘型繊維、サイドバイサイド型繊維、分割型繊維などの複合繊維も用いることができる。なお、疎水性繊維を親水化剤で表面処理し、体液に対する親和性を付与したものを用いることもできる。
【００４０】
吸収体４の厚みは、０．５〜２５ｍｍの範囲内とすることができ、１．５〜６．５ｍｍの範囲であると好ましい。吸収体４は、前面にわたり均一な厚みを有していなくともよく、体液排出口対応領域５０及びその付近の領域、また後方領域ＲＲの幅方向中央部分を膨出させた構造とすることもできる。また、吸収体４は、積繊又はエアレイド法によって製造されたものが好ましい。
【００４１】
サイド不織布７としては、撥水処理不織布又は親水処理不織布を使用することができる。例えば、経血やおりもの等が浸透するのを防止する効果又は肌触り感を高める場合は、シリコン系、パラフィン系、アルキルクロミッククロリド系撥水剤などをコーティングした撥水処理不織布を用いることが好ましい。また、ウィングＷ、Ｗにおける経血等の吸収性を高める場合には、不織布の材料として、親水処理された不織布を用いることが好ましい。不織布の種類としては、折り癖が付きにくく、シワになりにくく柔らかいエアスルー不織布が好ましい。
【００４２】
ウィングＷ、Ｗの外縁には、サイド不織布７と裏面シート２との接合のため及び剛性を高める目的で、所定の箇所に、ドット状や所定の形状を有する圧搾部（エンボス）が設けられていてもよい。
【００４３】
吸収性物品１の全長は、１３０〜４５０ｍｍとすることができ、１４０〜３６０ｍｍであると好ましい。
【００４４】
本発明の一形態は、図３に示すように、本体８が、装着時に装着者の体液排出口対応領域５０の中心５０Ａを含む第１領域Ａと、第１領域Ａの周囲に延在し、第１領域Ａの面積より大きい面積を有する第２領域Ｂ（灰色で図示）とを有し、表面シート３の表面に疎水性粒子が塗布されており、第１領域Ａに塗布された単位面積当たりの疎水性粒子の量は、第２領域Ｂに塗布された単位面積当たりの疎水性粒子の量よりも少ない、吸収性物品である。
【００４５】
表面シート３は透液性であるため、体液が表面シート３上に排出されると、体液は表面シート３を通ってその下に設けられている吸収体へと移行することができる。この際、従来の吸収性物品では、体液の量や粘性等にもよるが、体液は面方向に表面シート３上を拡散し、一部は表面シート３内を拡散し得る。そのような表面シート３上を拡散した体液は、肌に接触してべたつき感等の不快感を生じさせ得る。
【００４６】
これに対し、本形態においては、吸収性物品の表面シート側の所定の領域に、疎水性粒子が塗布されている。ここで、疎水性粒子が塗布されている状態とは、表面シート３の表面に疎水性粒子を塗布したことにより、疎水性粒子が表面シート３の表面に存在し、場合によっては表面シート３の内部にも存在している状態である。表面シート３が不織布からなる場合には、その不織布の繊維の表面に疎水性粒子が付着した状態である。
【００４７】
疎水性粒子の体液に対する濡れ性は小さいので、表面シート３上に排出された体液が、表面シート３上及び／又は表面シート３内に存在する疎水性粒子に接触すると、体液はその場所から拡がりにくくなる。そのため、疎水性粒子が塗布されている表面シート３においては、疎水性粒子が塗布されていない表面シートと比較して、表面シート３における、すなわち表面シート３上及び／又は表面シート３内での、体液の拡散が抑制される。これにより、体液が表面シート３において広がる平面視での面積を小さくすることができ、体液が広い範囲で肌に接触することによる触覚的な不快感を低減することができる。また、使用中、体液が表面シート３において広がっている様子が見えることによる視覚的な不快感も低減することができる。
【００４８】
しかしながら、上述のような体液の拡散を抑制する作用が大きいと、表面シート３から吸収体４への吸収速度が小さくなる傾向がある。これに対し、本形態においては、体液排出口対応領域５０の中心Ａを含む第１領域Ａに含まれる単位面積当たりの疎水性粒子の量を、第２領域Ｂに含まれる単位面積当たりの疎水性粒子の量よりも少なくしている。そのため、排出された体液の大部分が最初に到達し得る第１領域Ａにおいて、体液を比較的速やかに移行させることができるので、第１領域Ａにおいて、表面シート３から吸収体４への体液の吸収を比較的速やかに進めることができる。そのため、第１領域Ａ上に体液が残りにくくなり、体液排出口付近において体液が肌に付着することにより生じる不快感を低減することができる。また、第１領域Ａで迅速な吸収が行われるため、周囲に広がる体液の量を減らすことができ、体液の量が比較的多い場合でも体液の面方向での拡散を抑制することができる。
【００４９】
また、体液は第１領域Ａにおいて表面シート３から吸収体４へと吸収されると、吸収体４内で第２領域Ｂへも拡散し得る。ここで、第１領域Ａ及び第２領域Ｂの吸収体４に一旦吸収された体液が、装着時に本体８に肌が押し付けられること等によって再び表面上に戻される現象、いわゆる逆戻りが起こり得るため、不快感を生じる可能性がある。本形態では、このような体液の逆戻りも従来品とほぼ同等にすることができる。
【００５０】
第２領域Ｂの面積は、第１領域Ａの面積よりも大きくすることができる。疎水性粒子の塗布量が多い第２領域Ｂの面積をより大きくすることで、体液が体液排出口対応領域５０から周囲に広がって拡散することをより効果的に防止することができる。また、第２領域Ｂは、表面シート３が露出している領域から第１領域Ａを除いた全ての領域としてもよいし、図示の例のように中央領域ＲＭから第１領域Ａを除いた領域、又は中央領域ＲＭとそれに隣接する前方領域ＲＦ及び後方領域ＲＲの少なくとも一部から第１領域Ａを除いた領域とすることもできる。吸収性物品１の前方又は後方の端部に粒子を塗布しない領域を設けておくことで、経済的に有利となる。
【００５１】
疎水性粒子は、表面に疎水性を有する無機粒子又は有機粒子であってよい。無機粒子としては、タルク、ベントナイト、カオリン、マイカ、セリサイト、シリカ、酸化亜鉛、酸化チタン、炭酸カルシウム等が挙げられる。有機粒子としては、ナイロン、アクリル樹脂、シリコーン、ポリオレフィン、ポリスチレン、ポリウレタン、ポリエステル等が挙げられる。有機粒子は、ポリマーアロイや共重合体等であってもよい。これらの粒子は、単独で又は２種以上組み合わせて用いることができる。上記の粒子のうち、無機粒子が好ましく、また適度な疎水性を有すること等から、タルクを用いることが好ましい。
【００５２】
また、所定の粒子の表面を、シリル化処理等の疎水化処理することによって疎水性を付与又は向上させた粒子を得て、本形態における疎水性粒子として使用することができる。上記の粒子に対して、疎水化処理を施したものを、本形態における疎水性粒子として使用することもできる。
【００５３】
疎水性粒子の色は特に限定されないが、白色のものが好ましい。白色の粒子を用いることで、表面シート３内や吸収体４に吸収された体液が見えにくくなり、視覚的な不快感をさらに低減させることができる。また、表面シート３は、白色又は白色に近い薄い色であることが多いので、粒子が白色であれば、塗布しても目立つことがなく、見た目に違和感を生じさせることなく吸収性物品１を使用することができる。
【００５４】
疎水性粒子の平均粒径は、１００μｍ以下であると好ましい。平均粒径が当該範囲であると、塗布された粒子が、表面シートの繊維に付着しやすくなり、体液の拡散を抑制するという上述の作用を発揮しやすくなる。また、疎水性粒子の平均粒径は、１〜８０μｍであるとより好ましく、３〜５０μｍであるとさらに好ましく、５〜２０μｍであるとさらに好ましい。上記範囲とすることで、体液の拡散を抑制する作用を向上させるとともに、粒子のざらつき等を感じにくくすることができる。なお、本明細書における平均粒径は、レーザー回折散乱式測定法で計測した体積基準の粒度分布から算出した中位径（Ｄ５０）である。
【００５５】
第２領域Ｂに塗布される疎水性粒子の量は２０〜１００ｇ／ｍ２であると好ましく、３０〜９０ｇ／ｍ２であるとより好ましく、４０〜７０ｇ／ｍ２であるとさらに好ましい。第２領域Ｂに塗布される疎水性粒子の量を２０ｇ／ｍ２以上とすることで、表面シートでの体液の拡散をより良好に抑制することができる。また、第２領域Ｂに塗布される疎水性粒子の量を１００ｇ／ｍ２とすることで、表面シート３上に粒子が過剰に塗布され、表面シート３に形成されている多孔、すなわち上述の開孔２０や、繊維間の隙間等を閉塞して、吸収性物品の厚さ方向への体液の流れを妨げることを回避できる。
【００５６】
第１領域Ａに塗布される疎水性粒子の量は０〜１０ｇ／ｍ２以下であると好ましい。第１領域Ａに１０ｇ／ｍ２以下の疎水性粒子が存在する形態は、第１領域Ａにおける体液の拡散を良好に抑制することができるので、特に排出される体液の量が比較的少ない場合に好ましい。
【００５７】
また、第１領域Ａに塗布される疎水性粒子の量は、５ｇ／ｍ２以下と小さくすることができ、その場合、１ｇ／ｍ２以下であるとより好ましく、０．１ｇ／ｍ２以下であるとさらに好ましい。また、第１領域Ａには疎水性粒子が塗布されていないことがさらに好ましい。排出される体液の量が比較的多い場合には表面シート３上に体液がより残りやすいので、第１領域Ａに塗布される疎水性粒子の量を上記範囲として、第１領域Ａにおける表面シート３から吸収体４への体液の吸収速度を高めることにより、残存する体液による不快感を低減することができる。よって、第１領域Ａに疎水性粒子が塗布されていない形態は、特に体液の排出量又は排出速度が大きい場合に用いられる吸収性物品として好適に使用することができる。
【００５８】
第２領域Ｂに塗布される疎水性粒子の量と第１領域Ａに塗布される疎水性粒子の量との差（（第２領域Ｂに塗布される単位面積当たりの疎水性粒子の量）−（第１領域Ａに塗布される単位面積当たりの疎水性粒子の量））は、１０ｇ／ｍ２以上であると好ましく、２０ｇ／ｍ２以上であるとより好ましく、３０ｇ／ｍ２以上であるとさらに好ましく、５０ｇ／ｍ２以上であるとさらに好ましい。上記範囲とすることにより、第１領域Ａと第２領域Ｂとの間の境界で、第１領域Ａから第２領域Ｂへと体液が移行しにくくなるので、第１領域Ａ内での表面シート３から吸収体への吸収がより促進し、また表面シート３での面方向の体液の拡散をより抑制することができる。
【００５９】
第１領域Ａの面積は、吸収性物品１のサイズや用途によって適宜決定されるが、７５〜１３００ｍｍ２であると好ましく、１００〜１２００ｍｍ２であるとより好ましく、２００〜１０００ｍｍ２であるとより好ましく、２５０〜７５０ｍｍ２であるとさらに好ましい。第１領域Ａの面積を７５ｍｍ２以上とすることで、表面シート３から吸収体４への体液の移行が速やかに進む領域を、適切な面積で確保することができる。これにより、体液の多くを第１領域Ａ内で吸収させることができ、第１領域Ａからその周囲へ拡散する体液の量を減らすことができる。また、第１領域Ａの面積を１３００ｍｍ２以下とすることで、体液が面方向に拡散しやすい範囲を小さくすることができる。
【００６０】
第１領域Ａの形状の中心と体液排出口対応領域５０の中心５０Ａとは、図３に示すように、一致していることが好ましい。第１領域Ａの形状の中心と体液排出口対応領域５０の中心５０Ａとが一致していることで、体液排出口から排出された体液をより確実に第１領域Ａにおいて吸収させることができる。また、第１領域Ａの形状の中心と体液排出口対応領域５０の中心５０Ａとは、前後方向に１０ｍｍ以下の距離を置いて離間していてもよい。
【００６１】
なお、体液排出口対応領域５０の中心５０Ａは、本体８の前端から７０〜１００ｍｍの位置にあってよい。また、上記中心５０Ａは、図１、３に示すように体液排出口対応領域５０の両側に一対の前後方向圧搾溝１４、１４が設けられている場合には、その一対の前後方向圧搾溝の前後方向の中心の位置にあってもよい。
【００６２】
第１領域Ａが形状は、特に限定されないが、吸収性物品１の前後方向中心線ＣＬを対称線とした線対称の形状であると好ましく、点対称の形状であるとより好ましい。例えば、正方形、長方形、菱形といった四角形等の多角形、円形、又は楕円形とすることができる。第１領域Ａがこのような形状を有していることで、全方向に所定の面積を確保することができ、第１領域Ａにおいて、体液をより確実に表面シート３から吸収体４へと吸収させることができる。また、第１領域Ａの形状は、特に吸収性物品１が生理用ナプキンの場合には、液排出口の形状に鑑みると前後方向に長い形状とすることが好ましい。
【００６３】
第１領域Ａ及び第２領域Ｂにおける単位当たりの疎水性粒子の量は、各領域において均一になっていてもよいし、均一になっていなくてもよい。各領域を複数の区分に分割し、分割された区分ごとに単位面積当たりの疎水性粒子の量を異ならせることもできる。例えば、第１領域Ａ及び第２領域Ｂの少なくとも一方において、前後方向又は幅方向の縞状の区分を形成し、疎水性粒子の量が比較的小さい区分と大きい区分とを交互に配置することもできる。
【００６４】
上述の形態においては、本体８が第１領域Ａ及び第２領域Ｂを有し、各領域において塗布される疎水性粒子の量を異ならせていたが、本体８が３以上の領域を有し、塗布される疎水性粒子の量を各領域において互いに異ならせることもできる。例えば、第１領域Ａと第２領域Ｂとの間に、第１領域Ａの周りを囲むような環状の第３領域Ｃを設け、第３領域Ｃに塗布される疎水性粒子の量を、第１領域Ａにおける疎水性粒子の量より大きく、第２領域Ｂにおける疎水性粒子の量より小さくすることができる。同様に、第１領域Ａと第２領域Ｂとの間に２以上の領域を形成し、塗布する疎水性粒子の量を段階的に変化させてもよい。
【００６５】
図１、２に示すように、吸収性物品１の本体８は、表面シート３及び吸収体４が圧搾されることによって形成された圧搾溝（エンボス）を有していてよい。このような圧搾溝として、少なくとも中央領域ＲＭの体液排出口対応領域５０の側方に沿って、一対の前後方向に延びる前後方向圧搾溝１４、１４が設けられていると好ましい。中央領域ＲＭは、装着時には前後方向圧搾溝１４、１４に沿って側方へ容易に曲げることができ、中央領域ＲＭの幅方向中央部を身体の方向に盛り上げてフィット性を高める機能を有する。また、体液の側方への拡散を抑制する機能も有する。さらに、図１に示すように、体液の端部への移行を抑制するため及び／又は身体の形状に沿った本体８の変形を可能にするために、前方領域ＲＦに前方圧搾溝１２、後方領域ＲＲに後方圧搾溝１６が形成されていてもよい。
【００６６】
さらに、吸収性物品１の本体８には、図４に示すような塞止圧搾溝１８が形成されてもよい。塞止圧搾溝１８は、第１領域Ａの前方及び後方の少なくとも一方に形成することができ、図示の例のように、前方及び後方の両方に形成されていることが好ましい。塞止圧搾溝１８は、第１領域Ａから前方及び／又は後方へ体液が漏れを効果的に抑制することができる。特に、第２領域Ｂにおいて表面シート３の表面上に体液が残っている場合でも、そのような体液が流れて漏れることを防止することができる。
【００６７】
図示の例では、塞止圧搾溝１８は、その先端部が体液排出口対応領域５０の方を向いている略Ｖ字形状を有しているが、別の形状であってもよい。例えば、塞止圧搾溝１８は、直線状に又は湾曲して幅方向に延びる形状を有していてもよい。また、塞止圧搾溝１８は、前後方向圧搾溝１２、１２の前端及び／又は後端、並びにその近傍の領域に形成されていると好ましい。
【００６８】
本発明の一形態は、吸収性物品の製造方法であり、具体的には、透液性の表面シート３と、不透液性の裏面シート２と、表面シート３と裏面シート２との間に設けられた吸収体４とを有する本体８を備えた吸収性物品１であって、前記本体８が、装着時に装着者の体液排出口に対応する領域の中心を含む第１領域Ａと、第１領域Ａの周囲に延在する第２領域Ｂとを有する吸収性物品１の製造方法であって、表面シート３の表面に疎水性粒子を塗布する工程を含み、第１領域Ａに塗布する単位面積当たりの疎水性粒子の量は、第２領域Ｂに塗布する単位面積当たりの疎水性粒子の量よりも少ない、製造方法である。
【００６９】
表面シート３の表面に疎水性粒子を塗布する工程における塗布方法は特に限定されず、公知の塗布手段を用いることができる。例えば、疎水性粒子を液体の媒体に分散させて分散液を調製し、その分散液を公知の印刷手段を用いて本体８の所望の領域に印刷することができる。媒体としては、揮発性のものを用いてもよいし、不揮発性であって塗布後に表面シート３と疎水性粒子との結合を促進させるものを用いてもよい。印刷手段としては、フレキソ印刷、グラビア印刷等が挙げられる。疎水性粒子を液体に分散させて分散液を調製する場合、粒子及び媒体以外に、樹脂等を含有させてもよい。
【００７０】
また、別の塗布方法として、噴霧器を用いて、分散液を所望の領域に吹き付けることもできる。また、疎水性粒子は、流体ノズルを用いて空気とともに吹き付けることができるし、静電塗布装置を用いて塗布することもできる。
【００７１】
上述の形態は生理用ナプキンであったが、本形態による吸収性物品は、生理用ナプキンの他、パンティライナー、失禁パット、おむつ等としても使用することができる。体液排出口対応領域の位置及び大きさは、各用途に応じて適宜決定することができる。
【実施例】
【００７２】
以下、実施例及び比較例を提示して本発明をさらに詳説するが、本発明は実施例に限定されるものではない。
【００７３】
［試料の作製］
（実施例１）
図１に示す吸収性物品と同様の構成を有する、全長２１ｃｍの吸収性物品（生理用ナプキン）を準備した。この吸収性物品の塗布領域Ｂ（図５（ａ））に、ベビーパウダー（ピジョン株式会社製、「薬用ベビーパウダーＪ」）を、パフを用いて、単位面積当たりの塗布量が５８．８ｇ／ｍ２となるように均一に塗布した。実施例１において領域Ｂは、図５（ａ）に示すようにグレーで着色されている領域であり、本体の中央領域ＲＭにおいて表面シートが露出している領域から、体液排出口対応領域の中心を含む領域（第１領域）Ａを除いた領域である。本実施例においては、領域Ａは直径１ｃｍの円形の領域であり、領域Ａの面積は７９ｍｍ２であった。また、領域Ａの中心と体液排出口対応領域の中心とは一致していた。なお、粒子の塗布量は、塗布前及び塗布後で吸収性物品の重量を測定し、その重量の差を塗布面積で除することにより求めた。
【００７４】
（実施例２）
領域Ａの円形形状の直径を２ｃｍとし、面積を３１４ｍｍ２としたこと以外は、実施例１と同様にして試料を作製した。
【００７５】
（実施例３）
領域Ａの円形形状の直径を３ｃｍとし、面積を７０７ｍｍ２としたこと以外は、実施例１と同様にして試料を作製した。
【００７６】
（実施例４）
領域Ａの円形形状の直径を４ｃｍとし、面積を１２５６ｍｍ２としたこと以外は、実施例１と同様にして試料を作製した。
【００７７】
（実施例５）
吸収性物品の体液排出口対応領域の前方及び後方においてそれぞれ、図５（ｂ）に示すようなＶ字形状の塞止圧搾溝を形成したこと以外は、実施例３と同様にして作製した。
【００７８】
（比較例１）
実施例１においてベビーパウダーを塗布する前の吸収性物品を、試料とした（図５（ｃ））。
【００７９】
（比較例２）
ベビーパウダーを塗布する領域を、本体の表面シートが露出している領域の全面とした（図５（ｄ））こと以外は、実施例１と同様にして、試料を作製した。
【００８０】
［試験方法］
＜吸収速度試験＞
所定の器具６０を用いて、吸収速度試験を行った。所定の器具６０の概括的な斜視図及び平面図を、図６（ａ）及び（ｂ）にそれぞれ示す。器具６０は、中央に凹部６２を有し、その底面に貫通孔６４が設けられた構造を有している。器具６０の底面の貫通孔６４は、底面の中心で互いに交差する３本の貫通スリットの形状を有しており、各スリットの長さは２３ｍｍであった。上記器具を、体液排出口対応領域の中心と器具の中心とが一致するようにして、生理用ナプキン上に載置した。３７℃の人工経血１ｃｃを、器具６０を通して注入し、人工経血が染み込むまでの時間（人工経血が表面シート上から消失するまでの時間）を測定した。１回目の吸収が終了した後、試料を３分間静置し、その後、再び人工経血１ｃｃを１回目と同様に注入し、人工経血が染み込むまでの時間を測定し、吸収時間とした。
【００８１】
＜拡散試験＞
上記の吸収速度試験を行った試料を目視で観察し、表面シートに拡散した人工経血の部分の前後方向及び幅方向の長さを測定し、拡散長さとした。拡散長さは、前後方向及び幅方向それぞれで、最長の長さとした。なお、この観察においては、表面シートを介して、吸収体に吸収され拡散された人工経血も透けて見えるが、そのような吸収体における拡散は、拡散長さに含めない。
【００８２】
＜逆戻り量試験＞
上記の吸収速度試験を行った後、試料を１分間静置した。その後、中央領域ＲＭをカバーする大きさのろ紙を載せ、さらにその上に錘を載せて５ｇ／ｍ２の荷重をかけ、ろ紙が吸収した人工経血の量を測定した。
【００８３】
＜液流れ試験＞
試料を、表面シート側が上になるように３０°傾斜面（水平方向に対して３０°の傾斜を有する面）上に載置した。その際、生理用ナプキンの前後方向が傾斜方向と同じ方向になるようにして、且つ前方がより高い位置となるようにして載置した。固定したビュレットを用いて、１．０ｃｍ上方より１ｃｃの人工経血を、試料の体液排出口対応領域の中心に向けて滴下した。その際、ビュレットのコックを、人工経血がビュレットから一滴ずつ連続的に滴下するようになるまで絞って、滴下を行った。
【００８４】
表面シート上に滴下された滴は、その位置で直ちに吸収されるか、又はその位置で吸収されず若しくは十分に吸収されず、表面シートの表面上を吸収性物品の後方に向かって流れ落ちていく。滴が流れ落ちる際に、滴が表面シートの表面上を移動した距離を目視にて測定し、その距離を液流れ長さとした。具体的には、表面シート上に滴下されて流れ始める直前の滴の後端位置と、滴が流れ落ちて流れ止まった時の滴の後端位置との前後方向の長さを、液流れ長さとした。滴が滴下位置で直ちに吸収された場合の液流れ長さは０ｍｍである。
【００８５】
本試験では、滴下された人工経血１ｃｃのうちの最初の一滴の液流れ長さを測定し、１滴目の液流れ長さとして記録した。さらに、２滴目以降の滴下について液流れ長さを測定し、１ｃｃの液流れ長さとして記録した。この１ｃｃの液流れ長さは、滴下された複数の滴が一緒に合わさって一筋の流れとなっている場合には、その流れの長さを、複数の滴が独立して流れて落ちていった場合には、そのうち最長の液流れ長さを示した滴の液流れ長さを記録した。
【００８６】
上記のような１ｃｃの滴下を行った後、試料を３分間静置して、さらに１ｃｃの滴下を行った。このようにして、人工経血１ｃｃの滴下を合計５回繰り返した。
【００８７】
液流れ長さの評価は、以下の基準で行った。
Ａ：０ｍｍ
Ｂ：０ｍｍ超〜２０ｍｍ
Ｃ：２０ｍｍ超〜４０ｍｍ
Ｄ：４０ｍｍ超〜７０ｍｍ
Ｅ：７０ｍｍ超〜１１０ｍｍ未満
Ｆ：１１０ｍｍ（吸収なし）
【００８８】
吸収速度試験、拡散試験、及び逆戻り量試験の各試験の結果を表１に、液流れ試験の結果を表２に示す。
【００８９】
【表１】
2019034079.tif 000003
【００９０】
【表２】
2019034079.tif 000004
【００９１】
表１より、ベビーパウダーを体液排出口対応領域の中心を含む第１領域Ａに塗布し且つその周囲の第２領域Ｂに塗布した実施例１〜４では、拡散距離は、ベビーパウダーを表面シートに塗布していない比較例１（従来品）と比較して小さく、面方向の拡散が良好に抑制されていることが分かる。特に、第１領域Ａの面積が７５〜１０００ｍｍ２の範囲内である実施例１〜３の拡散距離は、比較例１に比べて、前後方向及び幅方向ともに顕著に小さくなっている。
【００９２】
また、実施例１〜４の逆戻り量も、比較例１（従来品）と同等であることも分かった。さらに、実施例１〜４の吸収時間も、比較例１（従来品）に対して、著しく大きくなることはなかった。特に、第１領域Ａの面積が１００〜１３００ｍｍ２の範囲に入る実施例２〜４では、吸収時間は、比較例１（従来品）の１．５倍以下であった。
【００９３】
一方、中央領域ＲＭ全面に均一にベビーパウダーを塗布した比較例２は、拡散距離が小さくなっており、面方向での拡散が抑制されているものの、逆戻り量が、実施例１〜４、比較例１（従来品）より多くなっている。また、比較例２の吸収時間も、実施例１〜４、比較例１（従来品）よりも長くなっており、実施例１〜４に比べて吸収性が十分でないことが分かった。
【００９４】
表２より、実施例１〜４の１滴目の液流れ長さの評価はＡであり、比較例１（従来品）と同様であった。また、実施例２〜４の１ｃｃの液流れ長さの評価も、比較例１（従来品）と同等であるか又は高くなっている。中央領域ＲＭ全面に均一にベビーパウダーを塗布した比較例２では、１滴目及び１ｃｃの液流れ長さの評価は、いずれも実施例１〜４より低かった。
【符号の説明】
【００９５】
１  吸収性物品
２  裏面シート
３  表面シート
４  吸収体
５  被包シート
７  サイド不織布
８  本体（吸収性物品本体）
１２  前方圧搾溝
１４  中央圧搾溝
１６  後方圧搾溝
１８  塞止圧搾溝
２０  開孔
３０  ドット状圧搾部（エンボス）
５０  体液排出口対応領域
５０Ａ  体液排出口対応領域の中心
Ａ  第１領域
Ｂ  第２領域
ＣＬ  前後方向中心線
ＲＦ  前方領域
ＲＭ  中央領域
ＲＲ  後方領域
Ｗ  ウィング
【図１】
2019034079.tif 000005
【図２】
2019034079.tif 000006
【図３】
2019034079.tif 000007
【図４】
2019034079.tif 000008
【図５】
2019034079.tif 000009
【図６】
2019034079.tif 000010